(57)【要約】【課題】本発明は、入力装置に複雑な機能を搭載することなく、操作可能な電子機器を容易に登録可能な入力装置、電子機器および登録方法を提供する。【解決手段】入力装置１の切替スイッチ１４を例えばＡの位置にセットし、登録したい電子機器（例えば２ｃ）にて探索処理を実行し、この探索結果を電子機器の表示部に表示する。そして、ユーザによって所望の入力装置が選択されると、電子機器は選択された入力装置との接続処理を実行し、切替スイッチ１４が位置するスイッチ「Ａ」に対応する電子機器として、その識別情報が入力装置１のアドレス記憶部１２に格納される事により、登録処理を終了する。【選択図】  図６
2004326607.tif 000002
【特許請求の範囲】
【請求項１】
複数の電子機器と接続可能な入力装置において、
上記接続可能な電子機器の識別情報を複数記憶可能な記憶領域を有する記憶手段と、
この記憶手段における第１の記憶領域に記憶された識別情報を有する電子機器への接続を指示する第１の指示手段と、上記第１の記憶領域とは異なる第２の記憶領域に記憶された識別情報を有する電子機器への接続を指示する第２の指示手段とのいずれかに切替える切替手段と、
上記接続可能な電子機器からその識別情報を受信する通信手段と、
この通信手段によって電子機器の識別情報が受信されると、上記第１及び第２の指示手段うちで上記切替手段によって切替えられている指示手段に対応する上記記憶手段の記憶領域に、上記受信した識別情報を格納する登録手段と、
上記切替手段によって上記第１または第２の指示手段のいずれかに切替えられると、上記第１及び第２の指示手段のうちで切替えられている指示手段に対応した上記記憶手段の記憶領域に記憶された識別情報を有する電子機器と接続するよう制御する通信制御手段と、
を有することを特徴とする入力装置。
【請求項２】
上記登録手段は、
上記通信手段によって電子機器の識別情報が受信されると、上記第１及び第２の指示手段うちで上記切替手段によって切替えられている指示手段に対応する上記記憶手段の記憶領域に、既に識別情報が格納されているかを判定する格納情報判定手段と、
この判定手段によって既に記憶されていると判定されると上書き登録を実行するか否かを上記通信手段を介して確認する確認手段と、
この確認手段による確認の結果、上記通信手段を介して上書き登録が指示されると、上記第１及び第２の指示手段うちで上記切替手段によって切替えられている指示手段に対応する上記記憶手段の記憶領域に、上記受信した識別情報を格納する書込手段と、
を有することを特徴とする請求項１記載の入力装置。
【請求項３】
上記登録手段は、
上記通信手段によって電子機器の識別情報が受信されると、当該入力装置に予め設定されているキー情報の照合処理を実行する照合手段と、
この照合手段により照合が一致すると、上記第１及び第２の指示手段うちで上記切替手段によって切替えられている指示手段に対応する上記記憶手段の記憶領域に、上記受信した識別情報を格納する書込手段と、
を有することを特徴とする請求項１記載の入力装置。
【請求項４】
上記登録手段は、
上記通信手段によって電子機器の識別情報が受信されると、この受信した識別情報を有する電子機器とのアクセス履歴情報を保持しているか否かを判定するアクセス判定手段と、
このアクセス判定手段によって当該入力装置に初めてアクセスする電子機器であると判定されると、当該入力装置に予め設定されているキー情報の照合処理を実行する照合手段と、
この照合手段により照合が一致すると、上記第１及び第２の指示手段うちで上記切替手段によって切替えられている指示手段に対応する上記記憶手段の記憶領域に、上記受信した識別情報を格納する書込手段と、
を有することを特徴とする請求項１記載の入力装置。
【請求項５】
複数の電子機器と接続可能な入力装置と有線あるいは無線の通信手段を介して接続し、各種情報を送受信する電子機器において、
上記通信手段を介して受信した接続可能な入力装置の情報を表示する表示手段と、
ユーザが接続を希望する入力装置が指示されると、この指示された入力装置に対して上記通信手段を介して、当該電子機器の識別情報と上記指示された入力装置へ今後接続するための登録を要求する指示情報とを出力するよう制御する制御手段と、
を有することを特徴とする電子機器。
【請求項６】
複数の電子機器と接続可能な通信手段と、上記接続可能な電子機器の識別情報を複数記憶可能な記憶領域を有する記憶手段と、この記憶手段における第１の記憶領域に記憶された識別情報を有する電子機器への接続を指示する第１の指示手段と、上記第１の記憶領域とは異なる第２の記憶領域に記憶された識別情報を有する電子機器への接続を指示する第２の指示手段とのいずれかに切替える切替手段とを有する入力装置における操作可能な電子機器を登録する登録方法において、
上記通信手段を介して上記接続可能な電子機器からその識別情報を受信するステップと、
この受信ステップにより電子機器の識別情報が受信されると、上記第１及び第２の指示手段うちで上記切替手段によって切替えられている指示手段に対応する上記記憶手段の記憶領域に、上記受信した識別情報を格納するステップと、
を有することを特徴とする入力装置の登録方法。
【請求項７】
上記格納ステップは、
上記受信ステップにより電子機器の識別情報が受信されると、上記第１及び第２の指示手段うちで上記切替手段によって切替えられている指示手段に対応する上記記憶手段の記憶領域に、既に識別情報が格納されているかを判定するステップと、
この判定手段によって既に記憶されていると判定されると上書き登録を実行するか否かを上記通信手段を介して確認するステップと、
この確認の結果、上記通信手段を介して上書き登録が指示されると、上記第１及び第２の指示手段うちで上記切替手段によって切替えられている指示手段に対応する上記記憶手段の記憶領域に、上記受信した識別情報を書き込むステップと、
を有することを特徴とする請求項６記載の入力装置の登録方法。
【請求項８】
上記格納ステップは、
上記通信手段によって電子機器の識別情報が受信されると、当該入力装置に予め設定されているキー情報の照合処理を実行するステップと、
この照合の結果、照合が一致すると、上記第１及び第２の指示手段うちで上記切替手段によって切替えられている指示手段に対応する上記記憶手段の記憶領域に、上記受信した識別情報を書込むステップと、
を有することを特徴とする請求項６記載の入力装置の登録方法。
【請求項９】
上記格納ステップは、
上記通信手段によって電子機器の識別情報が受信されると、この受信した識別情報を有する電子機器とのアクセス履歴情報を保持しているか否かを判定するステップと、
この判定の結果、当該入力装置に初めてアクセスする電子機器であると判定されると、当該入力装置に予め設定されているキー情報の照合処理を実行するステップと、
この照合の結果、照合が一致すると、上記第１及び第２の指示手段うちで上記切替手段によって切替えられている指示手段に対応する上記記憶手段の記憶領域に、上記受信した識別情報を書込むステップと、
を有することを特徴とする請求項６記載の入力装置の登録方法。
【発明の詳細な説明】
【０００１】
【発明の属する技術分野】
本発明は、例えばＢｌｕｅｔｏｏｔｈ（ＴＭ）等の近距離無線通信システムを用いて複数の電子機器を操作する入力装置、更にはこの入力装置により操作される電子機器、およびその登録方法に関する。
【０００２】
【従来の技術】
従来、１つの入力装置で無線通信を用いて複数のコンピュータ等の端末を操作する方法として、マウスに設けられた切替えスイッチを切替えることによって対応した端末と通信を行う入力装置が知られている（例えば、特許文献１、２参照。）。
【０００３】
また、マウスに表示部を設け、周囲に存在する制御可能なデバイスを認識した後、認識されたデバイスのリストを表示部に表示し、ユーザによって選択されたデバイスと無線通信のリンクを確立する入力装置も開発されている（例えば、特許文献３参照。）。
【０００４】
【特許文献１】
特開平１１−２７２４０９号公報
【特許文献２】
特開２００１−２５５９８１公報
【特許文献３】
特開２００２−２０２８３６公報
【０００５】
【発明が解決しようとする課題】
しかしながら、従来の装置では、操作可能な端末が予めマウス等の入力装置に登録されており、その登録方法については何等詳述されていなかった。また、入力装置に事前登録しない方法では、入力装置に対して表示部等の高度な付加機能を追加する必要があるという問題が生じる。
【０００６】
本発明は、以上の点に鑑みなされたもので、入力装置に複雑な機能を搭載することなく、操作可能な電子機器を容易に登録可能な入力装置、電子機器および登録方法を提供することを目的とする。
【０００７】
【課題を解決するための手段】
上記目的を達成するために、本発明の入力装置は、複数の電子機器と接続可能な入力装置において、上記接続可能な電子機器の識別情報を複数記憶可能な記憶領域を有する記憶手段と、この記憶手段における第１の記憶領域に記憶された識別情報を有する電子機器への接続を指示する第１の指示手段と、上記第１の記憶領域とは異なる第２の記憶領域に記憶された識別情報を有する電子機器への接続を指示する第２の指示手段とのいずれかに切替える切替手段と、上記接続可能な電子機器からその識別情報を受信する通信手段と、この通信手段によって電子機器の識別情報が受信されると、上記第１及び第２の指示手段うちで上記切替手段によって切替えられている指示手段に対応する上記記憶手段の記憶領域に、上記受信した識別情報を格納する登録手段と、上記切替手段によって上記第１または第２の指示手段のいずれかに切替えられると、上記第１及び第２の指示手段のうちで切替えられている指示手段に対応した上記記憶手段の記憶領域に記憶された識別情報を有する電子機器と接続するよう制御する通信制御手段と、を有することを特徴とする。
【０００８】
上記目的を達成するために、本発明の電子機器は、複数の電子機器と接続可能な入力装置と有線あるいは無線の通信手段を介して接続し、各種情報を送受信する電子機器において、上記通信手段を介して受信した接続可能な入力装置の情報を表示する表示手段と、ユーザが接続を希望する入力装置が指示されると、この指示された入力装置に対して上記通信手段を介して、当該電子機器の識別情報と上記指示された入力装置へ今後接続するための登録を要求する指示情報とを出力するよう制御する制御手段と、を有することを特徴とする。
【０００９】
上記目的を達成するために、本発明の登録方法は、複数の電子機器と接続可能な通信手段と、上記接続可能な電子機器の識別情報を複数記憶可能な記憶領域を有する記憶手段と、この記憶手段における第１の記憶領域に記憶された識別情報を有する電子機器への接続を指示する第１の指示手段と、上記第１の記憶領域とは異なる第２の記憶領域に記憶された識別情報を有する電子機器への接続を指示する第２の指示手段とのいずれかに切替える切替手段とを有する入力装置における操作可能な電子機器を登録する登録方法において、上記通信手段を介して上記接続可能な電子機器からその識別情報を受信するステップと、この受信ステップにより電子機器の識別情報が受信されると、上記第１及び第２の指示手段うちで上記切替手段によって切替えられている指示手段に対応する上記記憶手段の記憶領域に、上記受信した識別情報を格納するステップと、を有することを特徴とする。
【００１０】
【発明の実施の形態】
以下、本発明に係る実施の形態について図面を参照して詳細に説明する。図１は、本発明の一実施の形態に係る入力装置及び電子機器からなるシステムを示すブロック図である。
【００１１】
本システムは、１台の入力装置１と、この入力装置によって操作される複数の電子機器２（２ａ、２ｂ、２ｃ）からなる。入力装置１は、例えばマウスやキーボード等から構成され、電子機器２ａ、２ｂ、２ｃを操作するための入力デバイスとして用いられるものである。電子機器２ａ、２ｂ、２ｃは、例えばパーソナルコンピュータ等の汎用のコンピュータであり、予め記憶されたプログラムに従って動作制御されるものである。
【００１２】
この入力装置１と電子機器２ａ、２ｂ、２ｃとの間の接続手段は、例えばＢｌｕｅｔｏｏｔｈ（ＴＭ）等による無線電波が用いられる。即ち、入力装置１および電子機器２ａ、２ｂ、２ｃの夫々に無線通信機能を設け、所定の周波数帯域を有する無線電波を用いることにより、入力装置１によって各電子機器２ａ、２ｂ、２ｃの操作を行うことができる。
【００１３】
尚、入力装置１と電子機器２ａ、２ｂ、２ｃとの間の接続手段としては、特に無線電波に限定せず、例えば赤外線あるいはケーブル等を用いた有線による接続形態であっても良い。但し、赤外線の場合には両者間に障害物があると操作不能となる等の指向性の面で問題があったり、ケーブルによる接続の場合には多数の電子機器を対象とした際にケーブルが邪魔になる等の不具合が生じる。従って、無線電波による接続がより好ましい。
【００１４】
図２は、入力装置１の機能構成を示すブロック図である。入力装置１は、図２に示すように、制御部１１、アドレス記憶部１２、入力部１３、切替スイッチ１４および無線通信部１５を備えている。
【００１５】
制御部１１は、アドレス記憶部１２、入力部１３、切替スイッチ１４および無線通信部１５と接続しており、入力装置１全体の動作を制御するもので、後述する登録処理の制御を実行する登録手段や入力装置との接続を制御する通信制御手段に相当する。
【００１６】
制御部１１は、更にメモリ１１ａを有しており、当該入力装置１のキー情報として正当に当該入力装置１を保持するユーザのＰＩＮコード情報（Ｐｅｒｓｏｎａｌ  Ｉｄｅｎｔｉｆｉｅｒ  Ｎｕｍｂｅｒ  Ｃｏｄｅ  Ｉｎｆｏｒｍａｔｉｏｎ）と、履歴情報として以前に当該入力装置１にアクセスした電子機器２の識別情報とを記憶している。
【００１７】
このＰＩＮコード情報は、入力装置１のユーザ以外の者が当該入力装置１に接続することを防ぐために設けられている。従って、入力装置１に初めて接続する電子機器２に対しては、入力装置１は、無線通信確立後、まずＰＩＮコード情報を要求し、無線接続した電子機器２から送信されたＰＩＮコード情報と、メモリに記憶されたＰＩＮコード情報との照合処理を実行するようになっている。
【００１８】
アドレス記憶部１２は、後述する切替スイッチ１４と対応するよう電子機器の識別情報を記憶するもので、例えば図３に示すように、切替え可能な電子機器の数に応じたメモリブロック１２Ａ、１２Ｂを予め保持しており、後述する登録処理によってユーザの希望する電子機器の識別情報を格納するようになっている。
【００１９】
例えば、図３に示すアドレス記憶部１２は、後述する登録処理の結果、切替スイッチ１４の「Ａ」位置に対応する操作対象電子機器として電子機器２ａの識別情報が登録されており、切替スイッチ１４の「Ｂ」位置に対応する操作対象電子機器として電子機器２ｂの識別情報が登録されている。
【００２０】
切替スイッチ１４は、切替手段に相当し、入力装置１の図示せぬ表面に設けられている。そして、切替スイッチ１４は、ユーザが操作対象となる電子機器２ａ、２ｂを切替えるためのものであり、例えば図４に示すように、スライドすることにより第１の指示手段である「Ａ」あるいは第２の指示手段である「Ｂ」（あるいは更に他のスイッチ部である「ＯＦＦ」）のいずれかを指示するものである。
【００２１】
尚、図４（ｂ）は、切替えスイッチ１４が入力装置１の電源スイッチを兼ねた構成となっている。また、本実施例ではスライド式のスイッチ構成を示したが、これに限らずボタン式で押すたびに機器を切替えることが可能な構成でも良い。
【００２２】
無線通信部１５は、入力装置１の周辺に設置されている電子機器２ａ、２ｂから無線送信された各種情報を受信したり、入力装置１に対して各種情報を無線送信するもので、通信手段に相当する。
【００２３】
そして、このような構成により、制御部１１は、切替スイッチ１４のスライド操作に伴なってアドレス記憶部１２を参照し、操作可能な複数の電子機器２ａ、２ｂの中から操作対象となる電子機器を選択し、無線通信部１５を介して無線通信を確立する。
【００２４】
図５は、電子機器２（２ａ、２ｂ）の機能構成を示すブロック図である。電子機器２は、図５に示すように、電子機器１全体の動作を制御する制御部２２を備えた機器本体２１、入力部２３、表示部２４、および入力装置１と無線で各種情報の送受信を行う無線通信部２５を備えている。そして、電子機器２は、無線通信部２５を介して入力装置１から送信された情報を受信すると、制御部２２によって受信情報を解析し、受信情報に対応した処理を実行する。
【００２５】
次に、図６乃至図８は、本システムにおける入力装置１へ操作対象とする電子機器を登録する処理を説明するためのフローチャート図である。
【００２６】
まず、図６に示すように、入力装置１及び各電子機器２の電源が入った状態で、まずユーザによって入力装置１の切替スイッチ１４が例えば「Ａ」の位置にセットされる。すると、制御部１１は、アドレス記憶部１２のスイッチ「Ａ」に対応するメモリブロック１２Ａの内容を確認する（ＳＴ１０１）。
【００２７】
ＳＴ１０１による確認の結果、アドレス記憶部１２のスイッチ「Ａ」に対応するメモリブロック１２Ａにはまだ何も（いずれの電子機器も）登録されていないと判断されると（ＳＴ１０２のＮｏ）、制御部１１は、そのまま待機状態へと移行する。
【００２８】
ＳＴ１０１による確認の結果、アドレス記憶部１２のスイッチ「Ａ」に対応するメモリブロック１２Ａには既に電子機器が登録されていると判断されると（ＳＴ１０２のＹｅｓ）、図７に示す接続処理を実行し、登録されている電子機器との接続を確立した状態で、待機する（ＳＴ１０３）。
【００２９】
即ち、図７に示すように、制御部１１は、まずＳＴ１０１によるスイッチ操作に基づいてユーザによって入力装置１の切替スイッチ１４が例えば「Ｂ」から「Ａ」に切替えられたと判断すると（ＳＴ５０１のＹｅｓ）、スイッチ切替え前に接続していた電子機器（例えば２ｂ）に対して、無線通信部１５を介して、接続していた電子機器２ｂに対して接続の切断を通知する送信データを出力することにより、切断処理を実行する（ＳＴ５０２）。
【００３０】
また、制御部１１は、ＳＴ１０１でアドレス記憶部１２から読み出された電子機器２ａの識別情報を用いて、無線通信部１５を介して、選択された電子機器２ａに対して、接続を通知する送信データを出力することにより、接続処理を実行する（ＳＴ５０３）。そして、待機状態へと移行し、図６に示す処理へと進む。
【００３１】
次に、ユーザは、図６に示すように、登録したい電子機器（例えば２ｃ）において、その入力部２３から周辺機器に対する探索処理を指示する（ＳＴ２０１）。ＳＴ２０１によって探索処理が指示されると、制御部２２は、無線通信部２５を介して、周辺にある通信可能な機器全般に対して、自己（電子機器２ｃ）の識別情報を含んだ探索コマンドを送信し、周辺機器からのレスポンス受信待機状態となる（ＳＴ２０２）。
【００３２】
入力装置１の制御部１１は、ＳＴ１０２またはＳＴ１０３による待機状態において、正常に無線通信部１５を介して電子機器２ｃからの探索コマンドを受信すると（ＳＴ１０４）、自己の識別情報を含んだレスポンスデータを作成し、探索コマンドに含まれた識別情報をもとに、探索コマンドを送信してきた電子機器２ｃに対して、無線通信部１５を介してレスポンスデータを送信する（ＳＴ１０５）。
【００３３】
電子機器２ｃの制御部２２は、探索コマンド送信後、予め設定された所定時間の間、無線通信部２５を介して、上記入力装置１からのレスポンスデータや、他の周辺機器からのレスポンスデータを受信する（ＳＴ２０３、ＳＴ２０４）。所定時間が経過すると、制御部２２は、無線通信部２５を介して受信したレスポンスデータから（上記入力装置１を含む）周辺機器の識別情報を抽出して一覧リストを作成し、表示部２４に表示する（ＳＴ２０５）。
【００３４】
ＳＴ２０５における周辺機器の一覧リスト表示後に、入力部２３からユーザによって例えば入力装置１が選択されると（ＳＴ２０６）、制御部２２は、選択された入力装置１の識別情報を用いて、接続要求コマンドを作成し、無線通信部２５を介して選択された入力装置１に対して要求要求コマンドを送信する（ＳＴ２０７）。
【００３５】
入力装置１の制御部１１は、正常に無線通信部１５を介して電子機器２ｃからの接続要求コマンドを受信すると、自己の識別情報が含まれているかを確認する（ＳＴ１０６）。ここで、自己の識別情報が含まれていない場合には、他の周辺機器へのコマンドであるため、制御部１１は受信した接続要求コマンドへの対応は行わない（ＳＴ１０７のＮｏ）。
【００３６】
ＳＴ１０６の確認の結果、自己の識別情報が含まれていると判断されると（ＳＴ１０７のＹｅｓ）、制御部１１は、当該電子機器２ｃの識別情報に基づいて、図示せぬメモリに記憶されている過去の通信履歴情報（以前に接続したことのある電子機器の識別情報）と比較して、初めて接続した電子機器であるか否かを判断する（ＳＴ１０８）。
【００３７】
ＳＴ１０８の結果、入力装置１が以前に接続した電子機器であると判断されると（ＳＴ１０８のＮｏ）、制御部１１は、ＳＴ１１４のメモリへの登録処理へと進む。ＳＴ１０８の結果、入力装置１が初めて接続した電子機器であると判断されると（ＳＴ１０８のＹｅｓ）、制御部１１は、当該電子機器２ｃに対して、無線通信部１５を介してＰＩＮコード情報の要求コマンドを出力する（ＳＴ１０９）。
【００３８】
電子機器２ｃの制御部２２は、接続要求コマンド出力後、無線通信部２５を介して、入力装置１からの送信データを受信する（ＳＴ２０８、ＳＴ２１２）。この受信した送信データがＰＩＮコード要求コマンドであった場合には（ＳＴ２０８）、制御部２２は、内部メモリにアクセスし、ユーザのＰＩＮコード情報を既に取得しているかを確認する（ＳＴ２０９）。
【００３９】
ＳＴ２０９の結果、未だ取得していないと判断された場合には（ＳＴ２０９のＮｏ）、制御部２２は、ＰＩＮコードを要求する表示画面を表示部２４に表示する。そして、入力部２３からユーザによってＰＩＮコードが入力されると（ＳＴ２１０）、またはＳＴ２０９で既に取得していると判断された場合には（ＳＴ２０９のＹｅｓ）、制御部２２は、ＰＩＮコード情報を含んだ送信データを無線通信部２５を介して入力装置１に対して送信する（ＳＴ２１１）。
【００４０】
入力装置１の制御部１１は、予め設定された所定時間の間に、正常に無線通信部１５を介して電子機器２ｃからのＰＩＮコード情報を含んだ送信データを受信すると（ＳＴ１１０）、ＰＩＮコード情報を抽出し、メモリに記憶されているＰＩＮコード情報と照合する（ＳＴ１１１）。
【００４１】
ＳＴ１１１の照合の結果、ＰＩＮコード情報が一致しなかった場合には、制御部１１は、正当な所有者による接続／指示ではないと判断して（ＳＴ１１２のＮｏ）、無線通信部１５を介して、ＰＩＮコードが一致せずエラーとなった旨を示すレスポンスデータを、電子機器２ｃに送信し、無線通信を終了する（ＳＴ１１３）。
【００４２】
ＳＴ１１１の照合の結果、ＰＩＮコード情報が一致し、制御部１１は、正当な所有者による接続／指示であると判断すると（ＳＴ１１２のＹｅｓ）、自己及び相手方（電子機器２ｃ）の識別情報と、接続確立する旨の情報とを含んだレスポンスデータを作成し、接続要求コマンドを送信してきた電子機器２ｃに対して、無線通信部１５を介してレスポンスデータを送信する（ＳＴ１１４）。
【００４３】
電子機器２ｃの制御部２２は、接続要求コマンド出力後、無線通信部２５を介して、入力装置１から接続確立のレスポンスデータを受信すると（ＳＴ２１２）、入力装置１及び自己（電子機器２ｃ）の識別情報を用いて、登録要求コマンドを作成し、無線通信部２５を介して入力装置１に対して登録要求コマンドを送信する（ＳＴ２１３）。
【００４４】
入力装置１の制御部１１は、正常に無線通信部１５を介して電子機器２ｃから、自己の識別情報を含む登録要求コマンドを受信すると、図８に示す登録処理（ＳＴ１１５）へと進む。即ち、図８に示すように、制御部１１は、アドレス記憶部１２内のスイッチ「Ａ」に対応するメモリブロック１２Ａの内容を確認する（ＳＴ３０１）。
【００４５】
ＳＴ３０１による確認の結果、制御部１１は、例えば図９（ａ）に示すように、アドレス記憶部１２内のスイッチ「Ａ」に対応するメモリブロック１２Ａにはまだ登録されていないと判断すると（ＳＴ３０２のＮｏ）、図６のＳＴ１０６で受信した登録要求コマンドに含まれている電子機器２ｃの識別情報をアドレス記憶部１２のスイッチ「Ａ」に対応するメモリブロック１２Ａに格納し、図９（ｂ）に示すような格納状態となる（ＳＴ３０６）。
【００４６】
また、図７に示すＳＴ３０１による確認の結果、制御部１１は、例えば図１０（ａ）に示すように、アドレス記憶部１２内のスイッチ「Ａ」に対応するメモリブロック１２Ａに既に識別情報が登録されていると判断すると（ＳＴ３０２のＹｅｓ）、登録処理を続行するか（即ち上書きするか）を問合せるコマンドを電子機器２ｃに対して送信する（ＳＴ３０３）。
【００４７】
電子機器２ｃの制御部２２は、無線通信部２５を介して、問合せコマンドを受信すると（ＳＴ４０１）、登録処理を続行するか（即ち上書きするか）を問合せる表示画面を表示部２４に表示する（ＳＴ４０２）。そして、入力部２３からユーザによる指示が入力されると（ＳＴ４０３のＹｅｓ）、制御部２２は、ユーザからの指示内容を含むレスポンスデータを無線通信部２５を介して入力装置１に対して送信する（ＳＴ４０４）。
【００４８】
入力装置１の制御部１１は、正常に無線通信部１５を介して電子機器２ｃからのレスポンスデータを受信すると、レスポンスデータの中から指示内容を抽出し、この指示内容に基づいて登録処理を続行するか（即ち上書きするか）、中止するかを判断する（ＳＴ３０４）。
【００４９】
ＳＴ３０４の結果、登録処理の中止が指示されていた場合には（ＳＴ３０５のＮｏ）、制御部１１はアドレス記憶部１２への識別情報の格納を行わずに、図６に示す処理へと戻り、登録しなかった旨を示すレスポンスデータを電子機器２ｃに対して出力し（ＳＴ１１６）、ＳＴ１０３にて接続確立していた電子機器との無線通信を続行する。
【００５０】
ＳＴ３０４の結果、登録処理を続行するよう指示されていた場合には（ＳＴ３０５のＹｅｓ）、制御部１１は、図６のＳＴ１０６で受信した接続要求コマンド（あるいはＳＴ１１５で受信した登録要求コマンド）に含まれていた電子機器２ｃの識別情報をアドレス記憶部１２のスイッチ「Ａ」に対応するメモリブロック１２Ａに格納し（ＳＴ３０６）、図１０（ｂ）に示すような格納状態となる。そして、図６に示す処理へと戻り、登録完了した旨を示すレスポンスデータを電子機器２ａに対して出力する（ＳＴ１１６）。
【００５１】
電子機器２ｃの制御部２２は、登録要求コマンド送信後、予め設定された所定時間の間に、無線通信部２５を介して、上記入力装置１からの登録完了（あるいは登録中止）に関するレスポンスデータを受信すると、一連の探索および登録処理を終了する（ＳＴ２１４）。
【００５２】
尚、本実施例では、特に図６に示すＢｌｕｅｔｏｏｔｈ（ＴＭ）の通信処理において、一連して入力装置１の制御部１１及び電子機器２の制御部２２で判断／指示しているが、これに限らず、無線通信部１５、２５に制御機能を付加し、この無線通信部１５、２５の制御機能により判断／指示して一連の処理を実行することも可能である。
【００５３】
このように、本実施例では、１つの入力装置において複数の電子機器と接続する場合に、入力装置に切替スイッチを設け、この切替スイッチに対応した接続対象の電子機器を登録する際には、電子機器から当該入力装置に対して登録処理を指示するような構成となっている。
【００５４】
このため、入力装置側に複雑な機能を設けることなく、一度登録処理を実行すれば、切替スイッチを切替える（スライドさせる）だけで容易に操作対象となる電子機器を切替えることが可能となる。
【００５５】
また、入力装置１へ操作対象とする電子機器を登録する際に、入力装置において既に登録されている機器が存在するかを確認し、登録処理を続行（上書き登録）するか、中止するかを電子機器を介してユーザに問合せるようになっている。従って、ユーザの誤登録を未然に防ぐ事が可能となる。
【００５６】
尚、本実施例では、入力装置１への登録処理中に電子機器２に各種情報を入力するための入力部２３を、入力装置１と別に設けているが、本発明はこれに限らず、登録処理によって接続中の入力装置１から各種情報を入力するようにしても良い。
【００５７】
【発明の効果】
以上説明したように、本発明によれば、入力装置に複雑な機能を搭載することなく、操作可能な電子機器を容易に登録ができる。
【図面の簡単な説明】
【図１】本発明の実施形態における入力装置１及び電子機器２ａ、２ｂからなるシステムを示すブロック図。
【図２】入力装置１の機能構成を示すブロック図。
【図３】アドレス記憶部１２の構成を説明する図。
【図４】入力装置１に設けられた切替スイッチ１４の一構成を示す図。
【図５】電子機器２ａ、２ｂの機能構成を示すブロック図。
【図６】本システムにおける入力装置１へ操作対象とする電子機器の探索及び登録処理を説明するためのフローチャート図。
【図７】入力装置１における操作対象の電子機器の接続処理（切替処理）を説明するためのフローチャート図。
【図８】本システムにおける入力装置１へ操作対象とする電子機器の登録処理を説明するためのフローチャート図。
【図９】登録処理によるアドレス記憶部１２の格納状態の変化を説明する図。
【図１０】登録処理によるアドレス記憶部１２の格納状態の変化を説明する図。
【符号の説明】
１    入力装置
２、２ａ、２ｂ    電子機器
１１、２２    制御部
１２    アドレス記憶部
１４    切替スイッチ
１５、２５    無線通信部
【図１】
2004326607.tif 000003
【図２】
2004326607.tif 000004
【図３】
2004326607.tif 000005
【図４】
2004326607.tif 000006
【図５】
2004326607.tif 000007
【図６】
2004326607.tif 000008
【図７】
2004326607.tif 000009
【図８】
2004326607.tif 000010
【図９】
2004326607.tif 000011
【図１０】
2004326607.tif 000012